(57)【要約】【課題】水分を含んだ紙幣と油分を含んだ紙幣とを識別することができるようにする。【解決手段】紙幣投入部２に投入された紙幣を鑑別部３へ搬送し、その鑑別部３で水分または油分を含む紙幣を鑑別する紙幣処理装置１において、紙幣投入部２に水分または油分を含む紙幣が投入されたとき、その紙幣を紙幣乾燥庫７へ一旦収納して乾燥させ、再び鑑別部３へ搬送して水分を含んだ紙幣と油分を含んだ紙幣を識別するようにした。【選択図】        図１
2009193215.tif 000002
【特許請求の範囲】
【請求項１】
紙幣投入部に投入された紙幣を鑑別部へ搬送し、その鑑別部で水分または油分を含む紙幣を鑑別する紙幣処理装置において、
鑑別部で水分または油分を含む紙幣と鑑別された紙幣を収納し、その紙幣の水分を蒸発させて乾燥させる紙幣乾燥庫と、
前記紙幣乾燥庫で乾燥させた紙幣を前記鑑別部へ搬送する搬送路とを設け、
前記紙幣投入部に水分または油分を含む紙幣が投入されたとき、該紙幣を前記紙幣乾燥庫へ一旦収納して乾燥させ、再び鑑別部へ搬送し、水分を含む紙幣と油分を含む紙幣を識別するようにしたことを特徴とする紙幣処理装置。
【請求項２】
請求項１の紙幣処理装置において、
前記紙幣投入部に水分または油分を含む紙幣が投入されたとき、該紙幣を前記紙幣乾燥庫へ一旦収納して乾燥させ、再び鑑別部へ搬送し、油分を含む紙幣と識別された紙幣だけを損券庫に収納させるようにしたことを特徴とする紙幣処理装置。
【請求項３】
請求項１または請求項２の紙幣処理装置において、
前記紙幣乾燥庫は、記憶部に記憶された所定の時間値にしたがって収納された紙幣に向かって送風し、該紙幣の水分を蒸発させるようにしたことを特徴とする紙幣処理装置。
【請求項４】
請求項１、請求項２または請求項３の紙幣処理装置において、
前記紙幣乾燥庫は、先に搬送された紙幣を先に鑑別部へ搬送するようにしたことを特徴とする紙幣処理装置。
【発明の詳細な説明】
【技術分野】
【０００１】
本発明は、銀行等の金融機関の店舗等に設置され、入金された紙幣を鑑別して収納庫に収納させる紙幣処理装置に関する。
【背景技術】
【０００２】
従来の紙幣処理装置は、紙幣投入口に投入された紙幣を１枚ずつ分離して搬送し、その紙幣の真偽、金種、正損等の鑑別、計数、および搬送状態の異常の検出を搬送路上に設けられた鑑別部で行い、偽券と鑑別された紙幣を紙幣投入口へ、真券と鑑別された紙幣を紙幣収納庫へ、真券と鑑別されたが搬送状態の異常により紙幣収納庫へ搬送できない紙幣や油分が染み込んでいる紙幣等の出金に適さない紙幣（損券）を損券収納庫へそれぞれ搬送するようにしている。
【０００３】
また、搬送された紙幣の真偽、金種、正損等の鑑別、計数、および搬送状態の異常の検出に加え、搬送された紙幣の厚み、光の透過量、および光の反射量を検出する鑑別部を備えるようにしているものもある（例えば、特許文献１参照）。
【特許文献１】特開２００７−３０２４１８号公報（段落「００３０」〜段落「００３２」、図１）
【発明の開示】
【発明が解決しようとする課題】
【０００４】
しかしながら、上述した従来の技術においては、水分を含んだ紙幣はその水分が蒸発すれば出金に適する紙幣になるところ、水分を含んだ紙幣が紙幣入金口に投入され、鑑別部に搬送された場合、その鑑別部は検出した紙幣の厚みおよび光の透過量ならびに反射量では水分を含んだ紙幣と油分が染み込んだ紙幣とを識別することが困難であり、水分を含んだ紙幣を油分が染み込んでいる紙幣と同様に出金に適さない紙幣（損券）と鑑別して損券収納庫へ搬送してしまうという問題がある。
【０００５】
本発明は、このような問題を解決することを課題とする。
【課題を解決するための手段】
【０００６】
そのため、本発明は、紙幣投入部に投入された紙幣を鑑別部へ搬送し、その鑑別部で水分または油分を含む紙幣を鑑別する紙幣処理装置において、鑑別部で水分または油分を含む紙幣と鑑別された紙幣を収納し、その紙幣の水分を蒸発させて乾燥させる紙幣乾燥庫と、前記紙幣乾燥庫で乾燥させた紙幣を前記鑑別部へ搬送する搬送路とを設け、前記紙幣投入部に水分または油分を含む紙幣が投入されたとき、該紙幣を前記紙幣乾燥庫へ一旦収納して乾燥させ、再び鑑別部へ搬送して水分を含んだ紙幣と油分を含んだ紙幣を識別するようにしたことを特徴とする。
【発明の効果】
【０００７】
このようにした本発明は、水分を含んだ紙幣と油分を含んだ紙幣とを識別することができるようになり、損券庫に収納させる紙幣を減少させることができるという効果が得られる。
【発明を実施するための最良の形態】
【０００８】
以下、図面を参照して本発明による紙幣処理装置の実施例を説明する。
【実施例】
【０００９】
図１は実施例における紙幣処理装置の構成を示すブロック図である。
図１において、１は紙幣処理装置であり、利用者の操作により投入された紙幣を収納庫に収納するためのものである。この紙幣処理装置１は、例えば現金自動預払機、現金処理機、自動券売機等に搭載され、紙幣投入部に投入された紙幣を１枚ずつ分離して繰り出し、鑑別結果に応じて所定の収納庫へ搬送して収納させる入金処理を行う。なお、本実施例では、紙幣処理装置１の入金処理を説明するが、収納庫に収納された紙幣を紙幣出金口へ搬送して利用者に支払う出金処理を行うことができるものであってもよい。
【００１０】
２は紙幣投入部であり、利用者の操作により入金する紙幣の投入を受け付ける部位２ａおよび入金された紙幣を利用者へ返却するための入金リジェクト部２ｂを備えたものである。この紙幣投入部２の紙幣の投入を受け付ける部位２ａは、図示しない分離機構を備え、投入された紙幣を一部に高摩擦部材を設けた分離ローラを回転させて１枚ずつ分離して繰り出すことができるようになっている。また、入金リジェクト部２ｂは搬送された紙幣を集積するための図示しない集積機構を備えている。
【００１１】
３は鑑別部であり、紙幣投入部２から繰り出された紙幣に光を照射する発光素子および照射された光の透過光ならびに反射光を受光する受光素子からなる光学式センサ、紙幣の厚みを検出するためのセンサ、その他の紙幣の特性を検知するセンサ等で構成され、紙幣の真偽（真券または偽券）、金種、正損（正券または損券）等の鑑別、計数、および搬送状態の異常の検出に加え、紙幣の厚み、紙幣が透過する光の透過量、および紙幣が反射する光の反射量を検出するものである。
【００１２】
この鑑別部３は、紙幣の光の透過量および光の反射量から算出した光の透過率および反射率が所定の閾値の範囲内にない場合、その紙幣は所定量以上の水分や油分等を含んでいる損券と鑑別する。
なお、鑑別部３は、所定量以上の水分や油分等を含んでいる紙幣の光の透過率は高くなり、また光の反射率は低くなる特性を利用して鑑別するものとする。
【００１３】
ここで、真券とは紙幣と鑑別されたものをいい、偽券とは紙幣と鑑別されなかったものをいう。また、正券とは真券と鑑別された紙幣のうち出金に適すると鑑別されたものをいい、損券とは真券と鑑別された紙幣のうち出金に適さないと鑑別されたものをいう。
４は紙幣収納庫であり、図示しない集積機構を備え、鑑別部３で真券かつ正券と鑑別された紙幣を収納するためのものである。
【００１４】
５はリジェクト庫であり、図示しない集積機構を備え、鑑別部３で真券かつ搬送状態が異常と鑑別された紙幣を収納するためのものである。
６は損券収納庫であり、図示しない集積機構を備え、鑑別部３で真券かつ損券と鑑別された紙幣（油染みのある紙幣等）を収納するためのものである。
７は紙幣乾燥庫であり、図示しない集積機構を備え、鑑別部３で真券かつ水分や油分等を含んでいる損券と鑑別された紙幣を収納し、紙幣に含まれた水分を蒸発させて乾燥させるためのものである。この紙幣乾燥庫７の詳細は後述する。
【００１５】
８は搬送路であり、紙幣をローラやベルト等で挟持して搬送するものである。この搬送路８は第１の搬送路から第７の搬送路からなり、第１の搬送路は紙幣投入部２から鑑別部３を経て分岐点に至るように設けられ、第２の搬送路はその分岐点から紙幣収納庫４へ至るように設けられている。
また、第３の搬送路は分岐点からリジェクト収納庫５へ、第４の搬送路は分岐点から損券庫６へ、第５の搬送路は分岐点から紙幣乾燥庫７へ、第６の搬送路は分岐点から入金リジェクト部２ｂへ至るように設けられている。さらに、第７の搬送路は紙幣乾燥庫７から鑑別部３の上流の第１の搬送路へ至るように設けられている。
【００１６】
なお、上述した分岐点の近傍には紙幣の搬送方向を切替える図示しない切替えブレードが設けられている。
９は記憶部であり、半導体メモリや磁気ディスク等で構成されたものである。この記憶部９は紙幣処理装置１全体の動作を制御するための制御プログラム（ソフトウェア）を記憶する。
【００１７】
１０は制御部であり、ＣＰＵ（Ｃｅｎｔｒａｌ  Ｐｒｏｃｅｓｓｉｎｇ  Ｕｎｉｔ）等で構成され、記憶部９に記憶された制御プログラムに基づいて上述した紙幣投入部２、鑑別部３、紙幣収納庫４、リジェクト庫５、損券庫６、紙幣乾燥庫７、搬送路８、および記憶部９等を含む紙幣処理装置１全体の動作を制御するものである。
次に、上述した紙幣乾燥庫７を図２の実施例における紙幣乾燥庫の構成を示す説明図に基づいて説明する。
【００１８】
図２において、７１は搬入ローラであり、搬送路８で搬送された紙幣Ｐを挟持して紙幣乾燥庫７内へ送り込むためのものである。
７２はガイドであり、搬入ローラ７１で送り込まれた紙幣Ｐを案内するためのものである。
７３は底板であり、ガイド７２で案内された紙幣Ｐを集積するためのものである。
【００１９】
７４は送風部であり、底板７３上に集積された紙幣Ｐに側部から温風を送り出すものである。この送風部７４から送り出された温風を紙幣Ｐに吹き当てることでその紙幣Ｐに含まれた水分を蒸発させ、乾燥させることができるようになっている。
なお、紙幣Ｐに温風を吹き当てる時間は記憶部９に予め記憶されているものとする。
また、本実施例では、温風を送り出すものとして説明するが温風に限られることなく常温の空気を送風するようにしてもよい。
【００２０】
７５は繰出しローラであり、底板７３上に集積された最下位の紙幣Ｐを１枚ずつ分離して繰り出すためのものである。この繰出しローラ７５は、一部に高摩擦部材が設けられ、回転させることにより底板７３上に集積された最下位の紙幣Ｐを１枚ずつ分離して繰り出すことができるようになっている。これにより先に集積された紙幣を先に繰り出すことができるようになっている。
【００２１】
７６はフィードローラであり、繰出しローラ７５により繰り出された紙幣Ｐを開口部７７から搬送路８へ送り出すためのものである。
このように構成された紙幣乾燥庫７は搬送された紙幣の水分を除去することができるようになっており（なお、紙幣に染み込んだ油分は蒸発しにくい）、水分が除去された紙幣は紙幣乾燥庫７から繰り出され、搬送路８で鑑別部３へ搬送される。
【００２２】
なお、紙幣乾燥庫７は除湿機を備えて紙幣の水分を除去するようにしてもよい。
上述した構成の作用について説明する。
なお、以下に説明する各部の動作は、図示しないメモリや磁気ディスク等の記憶手段に格納されたプログラム（ソフトウェア）に基づいて図示しない中央処理装置等の制御手段により制御される。
【００２３】
まず、投入された紙幣の鑑別処理を図３の実施例における投入された紙幣の鑑別処理を示すフローチャートの図中Ｓで表すステップにしたがって説明する。
紙幣投入部２に投入された紙幣は分離機構により１枚ずつ分離されて搬送路８へ繰り出され、その搬送路８で鑑別部３へ搬送される。
Ｓ１ａ：鑑別部３は搬送された紙幣の真偽を鑑別する。なお、紙幣の真偽は紙幣の光の透過率および反射率以外のセンサの出力情報で鑑別されるものとする。搬送された紙幣が真券であると鑑別されると処理をＳ３ａへ移行し、偽券であると鑑別されると処理をＳ２ａへ移行する。
【００２４】
Ｓ２ａ：偽券であると鑑別されるとその紙幣は搬送路８により紙幣投入部２の入金リジェクト部２ｂへ搬送され、利用者に返却される。
Ｓ３ａ：一方、真券であると鑑別されると鑑別部３は搬送された紙幣が水分や油分を含んだ損券であるか否かを鑑別する。鑑別部３は、紙幣の厚み検知で真券と鑑別され、かつ紙幣の光の透過量および光の反射量から算出した光の透過率および反射率が記憶部９に記憶された所定の閾値の範囲内にあるか否かを判定し、その範囲内にない場合、その紙幣は所定量以上の水分や油分等を含んでいる損券と鑑別する。
【００２５】
搬送された紙幣が所定量以上の水分や油分等を含んでいる損券であると鑑別されると処理をＳ５ａへ移行し、所定量以上の水分や油分等を含んでいる損券でないと鑑別されると処理をＳ４ａへ移行する。
Ｓ４ａ：鑑別部３で真券かつ所定量以上の水分や油分等を含んでいる損券でないと鑑別された紙幣は紙幣収納庫４へ搬送されて収納される。
【００２６】
Ｓ５ａ：一方、鑑別部３で真券かつ所定量以上の水分や油分等を含んでいる損券であると鑑別された紙幣は紙幣乾燥庫７へ搬送されて底板７３上に集積される。制御部１０は紙幣乾燥庫７に紙幣が搬送されると記憶部９に記憶された所定の時間、温風を吹き当てて紙幣の水分を蒸発させて乾燥させる。
次に、紙幣乾燥庫７で乾燥された紙幣の鑑別処理を図４の実施例における乾燥紙幣の鑑別処理を示すフローチャートの図中Ｓで表すステップにしたがって説明する。
【００２７】
紙幣乾燥庫７で乾燥された紙幣は繰出しローラ７５やフィードローラ７６等の分離機構により１枚ずつ分離されて搬送路８へ繰り出され、その搬送路８で鑑別部３へ搬送される。
Ｓ１ｂ：鑑別部３は搬送された紙幣が水分や油分を含んだ損券であるか否かを鑑別する。鑑別部３は、紙幣の光の透過量および光の反射量から算出した光の透過率および反射率が記憶部９に記憶された所定の閾値の範囲内にあるか否かを判定し、その範囲内にない場合、その紙幣は所定量以上の油分等を含んでいる損券と鑑別する。なお、搬送された紙幣は紙幣乾燥庫７で充分に乾燥され、水分は含んでいないものとする。
【００２８】
搬送された紙幣が所定量以上の油分等を含んでいる損券と鑑別されると処理をＳ２ｂへ
移行し、所定量以上の油分等を含んでいない正券と鑑別されると処理をＳ３ｂへ移行する。
Ｓ２ｂ：所定量以上の油分等を含んでいる損券と鑑別された紙幣は損券庫６へ搬送されて収納される。
【００２９】
Ｓ３ｂ：鑑別部３で所定量以上の油分等を含んでいない正券と鑑別された紙幣は紙幣収納庫４へ搬送されて収納される。
次に、上述した紙幣の鑑別処理を行う紙幣処理装置１の入金処理を図５の実施例における入金処理を示すフローチャートの図中Ｓで表すステップにしたがって説明する。
紙幣投入部２に投入された紙幣は分離機構により１枚ずつ分離されて搬送路８へ繰り出され、その搬送路８で鑑別部３へ搬送される。
【００３０】
Ｓ１ｃ：鑑別部３は上述した投入された紙幣の鑑別処理を行う。その鑑別の結果、制御部１０はすべての紙幣が紙幣収納庫４またはリジェクト庫５へ搬送されて収納されたか否かを判定する。すべての紙幣が紙幣収納庫４またはリジェクト庫５へ搬送されて収納されたと判定されると処理をＳ２ｃへ移行し、すべての紙幣が紙幣収納庫４またはリジェクト庫５へ搬送されて収納されていないと判定されると処理をＳ３ｃへ移行する。
【００３１】
Ｓ２ｃ：すべての紙幣が紙幣収納庫４またはリジェクト庫５へ搬送されて収納されると入金金額を確定し、入金処理を終了する。
Ｓ３ｃ：すべての紙幣が紙幣収納庫４またはリジェクト庫５へ搬送されて収納されていないと判定されると制御部１０は紙幣乾燥庫７へ搬送されて収納されている紙幣の有無を判定する。その結果、紙幣乾燥庫７へ搬送されて収納されている紙幣が有ると判定されると処理をＳ４ｃへ移行し、無いと判定されると処理をＳ５ｃへ移行する。
【００３２】
Ｓ４ｃ：紙幣乾燥庫７へ搬送されて収納されている紙幣が有ると判定されると制御部１０は入金金額を確定し、紙幣乾燥庫７に収納した紙幣が乾燥することを待機する。
紙幣乾燥庫７に収納した紙幣の乾燥が終了すると紙幣乾燥庫７で乾燥された紙幣は繰出しローラ７５やフィードローラ７６等の分離機構により１枚ずつ分離されて搬送路８へ繰り出され、その搬送路８で鑑別部３へ搬送されて上述した乾燥紙幣の鑑別処理が行われる。
【００３３】
そして、所定量以上の油分等を含んでいる損券と鑑別された紙幣は損券庫６へ搬送されて収納され、所定量以上の油分等を含んでいない正券と鑑別された紙幣は紙幣収納庫４へ搬送され、収納されて入金処理を終了する。
Ｓ５ｃ：すべての紙幣が紙幣収納庫４またはリジェクト庫５へ搬送されて収納されていないと判定され、かつ紙幣乾燥庫７へ搬送されて収納されている紙幣が無いと判定される、すなわち鑑別部３で偽券と鑑別された紙幣が紙幣投入部２の入金リジェクト部２ｂへ搬送されていると判定されるとその紙幣を取り出して再投入を促す画面を表示または明細票に印字して利用者に知らせる。
【００３４】
紙幣が再投入されると処理をＳ１ｃから再度行うものとする。
なお、紙幣詰まり等により紙幣の搬送が不可能な状態になった場合は紙幣の搬送を中止し、紙幣処理装置１の搬送路８から紙幣を除去して再度入金処理を行うものとする。
このようにして紙幣処理装置１は投入された紙幣の入金処理を行い、水分または油分を含んだ紙幣が紙幣投入部２に投入された場合、その紙幣を紙幣乾燥庫７へ搬送して水分を蒸発させて乾燥させることにより、水分を含んだ紙幣と油分を含んだ紙幣とを分けて鑑別することができるようになる。
【００３５】
なお、本実施例では、油分を含んだ紙幣を損券として扱うものとして説明したが、偽券として扱うようにしてもよい。
この場合の入金処理は図６の実施例における入金処理を示すフローチャートに示す処理となる。
Ｓ１ｄ〜Ｓ３ｄ、Ｓ５ｄは図５におけるＳ１ｃ〜Ｓ３ｃ、Ｓ５ｃの処理と同様であり、Ｓ４ｄの処理が異なるものとなる。
【００３６】
Ｓ４ｄ：紙幣乾燥庫７へ搬送されて収納されている紙幣が有ると判定されると制御部１０は入金一時不確定として紙幣乾燥庫７に収納した紙幣が乾燥することを待機する。このとき、紙幣を乾燥させている旨を画面に表示または明細票に印字して利用者に知らせる。
紙幣乾燥庫７に収納した紙幣の乾燥が終了すると紙幣乾燥庫７で乾燥された紙幣は繰出しローラ７５やフィードローラ７６等の分離機構により１枚ずつ分離されて搬送路８へ繰り出され、その搬送路８で鑑別部３へ搬送されて上述した乾燥紙幣の鑑別処理が行われる。
【００３７】
そして、所定量以上の油分等を含んでいると鑑別された紙幣は入金リジェクト部２ｂへ搬送され、所定量以上の油分等を含んでいないと鑑別された紙幣は紙幣収納庫４へ搬送されて収納されて入金処理を終了する。
このように油分を含んだ紙幣を偽券として扱い、入金リジェクト部２ｂへ搬送するようにしてもよい。
【００３８】
以上説明したように、本実施例では、水分または油分を含んだ紙幣が紙幣投入部２に投入された場合、その紙幣を紙幣乾燥庫７へ搬送して水分を蒸発させて乾燥させることにより、水分を含んだ紙幣と油分を含んだ紙幣とを分けて鑑別することができるようになり、損券庫に収納させる紙幣や利用者に返却する紙幣を減少させることができるという効果が得られる。
【００３９】
特に、紙幣処理装置１が多雨多湿の地域に設置される場合は、損券収納庫に収納させる紙幣や利用者に返却する紙幣を減少させることができるという効果が得られる。
【図面の簡単な説明】
【００４０】
【図１】実施例における紙幣処理装置の構成を示すブロック図
【図２】実施例における紙幣乾燥庫の構成を示す説明図
【図３】実施例における投入された紙幣の鑑別処理を示すフローチャート
【図４】実施例における乾燥紙幣の鑑別処理を示すフローチャート
【図５】実施例における入金処理を示すフローチャート
【図６】実施例における入金処理を示すフローチャート
【符号の説明】
【００４１】
１    紙幣処理装置
２    紙幣投入部
３    鑑別部
４    紙幣収納庫
５    リジェクト庫
６    損券庫
７    紙幣乾燥庫
８    搬送路
９    記憶部
１０  制御部
７１  搬入ローラ
７２  ガイド
７３  底板
７４  送風部
７５  繰出しローラ
７６  フィードローラ
７７  開口部
【図１】
2009193215.tif 000003
【図２】
2009193215.tif 000004
【図３】
2009193215.tif 000005
【図４】
2009193215.tif 000006
【図５】
2009193215.tif 000007
【図６】
2009193215.tif 000008